(57)【要約】【課題】室外側ユニットの据付脚部材の先端部の変形を抑制することができる下部梱包部材を提供する。【解決手段】下部梱包部材は、底フレームに複数の据付脚部材が取り付けられた室外側ユニットの下部を保護するものであり、室外側ユニットの底フレーム及び据付脚部材に当接する緩衝部材と、これら緩衝部材を保持する梱包ケースとを備える。第１緩衝部材６１は、第１据付脚部材２０ａに対応する部位において、第１据付脚部材２０ａに当接する第１当接部７１と、第１据付脚部材２０ａの先端部下面２１ｓ，２７ｓ側に配置されかつ切欠かれていることにより第１据付脚部材２０ａに当接しない第１及び第２離間部７７，７８とを有する。【選択図】図１３
2014240285.tif 000002
【特許請求の範囲】
【請求項１】
底フレーム（12）に複数の据付脚部材（20a,20ｂ）が取り付けられた室外側ユニット（1）の下部を保護する下部梱包部材（60）であって、
前記室外側ユニット（1）の前記底フレーム（12）及び前記据付脚部材（20a,20ｂ）に当接する緩衝部材（61,62）と、この緩衝部材（61,62）を保持する梱包ケース（90）とを備え、
前記緩衝部材（61,62）は、前記据付脚部材（20a,20ｂ）に対応する部位において、前記据付脚部材（20a,20ｂ）に当接する部位（71,81）と、前記据付脚部材（20a,20ｂ）の先端部下面側（21s,27s）に配置されて切欠かれていることにより前記据付脚部材（20a,20ｂ）に当接しない部位（77,78）とを有する
ことを特徴とする下部梱包部材。
【請求項２】
請求項１に記載の下部梱包部材において、
前記据付脚部材（20a,20ｂ）に当接しない部位（277,278）は、前記据付脚部材（20a,20ｂ）に当接する部位（271）と当接しない部位（277,278）との間の境界部（277x,278x）から前記据付脚部材（20a,20ｂ）の先端側に向かって、前記据付脚部材（20a,20ｂ）からの離間幅（dx）が大きくなるように、形成されている
ことを特徴とする下部梱包部材。
【発明の詳細な説明】
【技術分野】
【０００１】
本発明は、室外側ユニットの下部を保護する下部梱包部材に関する。
【背景技術】
【０００２】
空気調和機の室外側ユニットを保護する梱包材として、特許文献１に記載の技術が知られている。特許文献１に記載の梱包材は、室外側ユニットの上部を保護する上部梱包部材と、室外側ユニットの下部を保護する下部梱包部材とを備える。下部梱包部材は、室外側ユニットの底フレームに設けられた据付脚部材を保護する緩衝部材を有する。
【先行技術文献】
【特許文献】
【０００３】
【特許文献１】特開２００３−２３９０号公報
【発明の概要】
【発明が解決しようとする課題】
【０００４】
しかし、上記梱包材で室外側ユニットを梱包している場合でも、室外側ユニットの取り扱いによっては、室外側ユニットの据付脚部材の先端部が変形することがある。例えば、傾けた状態で室外側ユニットを地面に降ろすとき、据付脚部材に衝撃が加わり、据付脚部材の先端部が変形することがある。このため、据付脚部材の先端部の変形を抑制する下部梱包部材が求められている。
【０００５】
本発明はこのような事情に鑑みてなされたものであり、その目的は、室外側ユニットの据付脚部材の先端部の変形を抑制することができる下部梱包部材を提供することにある。
【課題を解決するための手段】
【０００６】
課題を解決する下部梱包部材は、底フレームに複数の据付脚部材が取り付けられた室外側ユニットの下部を保護する下部梱包部材であって、前記室外側ユニットの前記底フレーム及び前記据付脚部材に当接する緩衝部材と、この緩衝部材を保持する梱包ケースとを備え、前記緩衝部材は、前記据付脚部材に対応する部位において、前記据付脚部材に当接する部位と、前記据付脚部材の先端部下面側に配置されて切欠かれていることにより前記据付脚部材に当接しない部位とを有する。
【０００７】
室外側ユニットの下方から衝撃が加えられたとき緩衝部材が圧縮変形する。これにより、この衝撃が緩和されるが、衝撃が大きいときは、圧縮変形した緩衝部材を介して衝撃が据付脚部材に加わる。特に、据付脚部材の先端部にはその衝撃を反対側から受ける部材が存在しないため、その衝撃が大きいとき、据付脚部材の先端部が変形するおそれがある。
【０００８】
上記構成では、緩衝部材において、据付脚部材の先端部下面側に対応して配置されているところに据付脚部材に当接しない部位を設けている。
このため、室外側ユニットの下方から衝撃が加えられることにより、緩衝部材において据付脚部材の先端部に対応する部分が上方に曲がったとしても、この部分が据付脚部材の先端部の下面に接触しないときは、据付脚部材の先端部にその衝撃が加わらない。これによって、据付脚部材の先端部の変形が抑制される。また、この部分が据付脚部材の先端部の下面に接触するときにおいても、その部分が据付脚部材の先端部の下面に接触までの間に衝撃が緩和されるため、据付脚部材の先端部に加わる衝撃が小さくなる。このため、その変形が抑制される。すなわち、室外側ユニットの下方から衝撃が加えられたとき、据付脚部材の先端部の変形が抑制される。
【０００９】
上記下部梱包部材において、前記据付脚部材に当接しない部位は、前記据付脚部材に当接する部位と当接しない部位との間の境界部から前記据付脚部材の先端側に向かって、前記据付脚部材からの離間幅が大きくなるように、形成されている。
【００１０】
すなわち、据付脚部材に当接しない部位の基部が先端部よりも厚く形成されている。
このため、据付脚部材に当接しない部位に衝撃が加えられたとき、据付脚部材に当接する部位と据付脚部材に当接しない部位との間の境界部に亀裂が生じることを抑制することができる。
【発明の効果】
【００１１】
上記記載の下部梱包部材によれば、室外側ユニットについて据付脚部材の先端部の変形を抑制することができる。
【図面の簡単な説明】
【００１２】
【図１】梱包材と室外側ユニットとの関係を示す斜視図。
【図２】据付脚部材の平面図。
【図３】据付脚部材の側面図。
【図４】図３のＡ−Ａ線に沿う断面図。
【図５】下部梱包部材の斜視図。
【図６】下部梱包部材の分解図。
【図７】第１緩衝部材を示す斜視図。
【図８】第２緩衝部材を示す斜視図。
【図９】据付脚部材が配置された第１緩衝部材の平面図。
【図１０】図９のＢ−Ｂ線に沿う断面図。
【図１１】比較構造の緩衝部材と据付脚部材と支持部材との配置関係を示す断面図。
【図１２】比較構造の緩衝部材に衝撃が加わったときの状態を示す断面図。
【図１３】実施形態の緩衝部材に衝撃が加わったときの状態を示す断面図。
【図１４】第１変形例に係る緩衝部材と据付脚部材と支持部材との配置関係を示す断面図。
【図１５】第２変形例に係る緩衝部材と据付脚部材と支持部材との配置関係を示す断面図。
【図１６】第３変形例に係る緩衝部材と据付脚部材と支持部材との配置関係を示す断面図。
【発明を実施するための形態】
【００１３】
図１に、空気調和機の室外側ユニット１を梱包するための梱包材４０を示す。
まず、梱包対象である室外側ユニット１について説明する。室外側ユニット１は、室外側ユニット本体１０と、室外側ユニット本体１０を支持する２本の据付脚部材２０ａ，２０ｂ（以下、第１据付脚部材２０ａ，第２据付脚部材２０ｂという。）とを備えている。
【００１４】
室外側ユニット本体１０は、圧縮機１３、ファン１４、室外側熱交換器１５、回路基板１６等の各種内装部品と、側面フレーム１１と、底フレーム１２とを備えている。第１及び第２据付脚部材２０ａ，２０ｂは、底フレーム１２の下面に取り付けられている。
【００１５】
なお、以降の説明において、室外側ユニット本体１０において、ファン１４が配置されている側の面を前面１０ａといい、その反対側の面を後面１０ｂという。そして後面１０ｂから前面１０ａに向かう方向を前方といい、前方の反対方向を後方という。
【００１６】
図１〜図４を参照して、第１据付脚部材２０ａの構造について説明する。
図１に示すように、第１据付脚部材２０ａは、室外側ユニット１を正面からみて左側に配置されるものであり、第２据付脚部材２０ｂは、室外側ユニット１を正面からみて右側に配置されるものである。第１据付脚部材２０ａと第２据付脚部材２０ｂとは同じ構造を有する。
【００１７】
図２に示すように、第１据付脚部材２０ａは、室外側ユニット本体１０の底フレーム１２に固定される中間部２６と、中間部２６の前方に延びる前端取付部２１と、中間部２６の後方に延びる後端取付部２７とを有する。
【００１８】
前端取付部２１は、室外側ユニット本体１０の前面１０ａよりも前方に突き出る。
前端取付部２１には、第１据付脚部材２０ａをブロック等の基礎台に固定するための固定用貫通孔２１ｋが設けられている。固定用貫通孔２１ｋの孔径は、基礎ボルトを挿通することができる大きさに形成されている。
【００１９】
後端取付部２７は、室外側ユニット本体１０の後面１０ｂよりも後方に突き出る。
後端取付部２７には、第１据付脚部材２０ａをブロック等の基礎台に固定するための固定用切込部２７ｋが設けられている。固定用切込部２７ｋの幅は、基礎ボルトを挿通することができる大きさに形成されている。
【００２０】
図３に示すように、中間部２６には、２つの上段部２２，２３と２つの下段部２４，２５が設けられている。
２つの上段部２２，２３のうちで前方の上段部２２には、室外側ユニット本体１０の前面１０ａに第１据付脚部材２０ａを取り付けるための係合部２８が設けられている。この係合部２８は、上段部２２の一部に切込みをいれ、この切込みを押し曲げることにより形成されている。
【００２１】
前端取付部２１及び後端取付部２７は、中間部２６のいずれの部分よりも低く形成されている。すなわち、前端取付部２１の高さｈａ及び後端取付部２７の高さｈｂは、下段部２４，２５の高さｈｍよりも低い。なお、このような構成は、前端取付部２１または後端取付部２７に基礎ボルトを挿通したときに、基礎ボルトのうちで基礎台から突き出る部分の長さを短くするためである。
【００２２】
図４は、第１据付脚部材２０ａの断面構造を示す。
第１据付脚部材２０ａは、下側を開口部とする箱形に形成されている。また、第１据付脚部材２０ａの下部には下縁部２９が形成されている。このような第１据付脚部材２０ａは、例えば、金属板をプレス加工することにより形成される。
【００２３】
（下部梱包部材の実施形態）
図１に示すように、梱包材４０は、室外側ユニット１の上部を衝撃等から保護する上部梱包部材５０と、室外側ユニット１の下部を衝撃等から保護する下部梱包部材６０とを備えている。以下、下部梱包部材６０について説明する。
【００２４】
図５に、下部梱包部材６０の斜視図を示す。
下部梱包部材６０は、梱包ケース９０と、梱包ケース９０の両側に配置される２個の緩衝部材（以下、それぞれを第１緩衝部材６１、第２緩衝部材６２という。）と、中央に配置される緩衝部材（以下、第３緩衝部材６３という。）と、２本の支持部材（以下、それぞれを第１支持部材６４、第２支持部材６５という。）とを備えている。
【００２５】
第１緩衝部材６１は、下部梱包部材６０を正面から見て左側に配置される。この第１緩衝部材６１は、第１据付脚部材２０ａを支持する。第２緩衝部材６２は、下部梱包部材６０を正面から見て右側に配置される。この、第２緩衝部材６２は、第２据付脚部材２０ｂを支持する。第３緩衝部材６３は、第１緩衝部材６１と第２緩衝部材６２との中間辺りに配置される。この第３緩衝部材６３は室外側ユニット本体１０の中央部を支持する。これら第１〜第３緩衝部材６１〜６３は発泡スチロール等の弾性部材により形成されている。
【００２６】
図６に、下部梱包部材６０の分解図を示す。
第１支持部材６４は、梱包ケース９０の前方に配置され、かつ第１〜第３緩衝部材６１〜６３の下に配置されている。第２支持部材６５は、梱包ケース９０の後方に配置され、かつ第１〜第３緩衝部材６１〜６３の下に配置されている。
【００２７】
梱包ケース９０は、第１〜第３緩衝部材６１〜６３及び第１及び第２支持部材６４，６５を保持する。梱包ケース９０は、平面視、正面視及び側面視で矩形であり、箱型に形成されている。梱包ケース９０は、例えば、段ボールで形成される。
【００２８】
梱包ケース９０の前面部９１及び後面部９２のそれぞれには、切込み９３，９４が形成されている。切込み部は、内側に曲げられて、段部９５，９６を構成する。段部９５，９６は前面部９１及び後面部９２それぞれに沿うように形成されている。段部９５，９６のそれぞれの両端は下方に曲げられており、鉛直部９５ａ，９６ａを構成する。段部９５，９６のそれぞれの中央部は、第３緩衝部材６３により支持されている（図５参照）。このような段部９５，９６のそれぞれは、室外側ユニット本体１０の底フレーム１２に当接して、室外側ユニット本体１０の中央部を支持する。
【００２９】
第１及び第２支持部材６４，６５について説明する。
第１支持部材６４は、第１緩衝部材６１の前方部６１ａの下面、第２緩衝部材６２の前方部６２ａの下面、及び第３緩衝部材６３の前方部６３ａの下面に当接する。すなわち、第１支持部材６４は、室外側ユニット本体１０の前部に加わる荷重を受け止める。
【００３０】
第２支持部材６５は、第１緩衝部材６１の後方部６１ｂの下面、第２緩衝部材６２の後方部６２ｂの下面、及び第３緩衝部材６３の後方部６３ｂの下面に当接する。すなわち、第２支持部材６５は、室外側ユニット本体１０の後部に加わる荷重を受け止める。これら第１及び第２支持部材６４，６５は、木材または弾性率が高いプラスチックスで形成されている。
【００３１】
図７、図９及び図１０を参照して、第１緩衝部材６１について説明する。
第１緩衝部材６１は、第１据付脚部材２０ａに当接する第１当接部７１と、室外側ユニット本体１０の底フレーム１２に当接する第２当接部７２と、室外側ユニット本体１０の前面１０ａに当接する第３当接部７３と、室外側ユニット本体１０の後面１０ｂに当接する第４当接部７４とを有する。
【００３２】
第１当接部７１には、貫通孔７１ｈが形成されている。第１当接部７１において貫通孔７１ｈの周壁を構成する部分７１ｗの上面（以下、当接面７１ｓという。）は、第１据付脚部材２０ａの中間部２６の下縁部２９に当接する。
【００３３】
第２当接部７２には、底フレーム１２の形状に合うように、溝部７２ａ，７２ｂが形成されている。
第３及び第４当接部７３，７４は、室外側ユニット本体１０が前後にずれることを抑制する。
【００３４】
また、第１緩衝部材６１の下面には、第１支持部材６４が嵌る第１嵌合部７５と、第２支持部材６５が嵌る第２嵌合部７６とが形成されている。
第１嵌合部７５は、前方部６１ａ（第１支持部材６４が当接する部分）に対応して設けられている。第２嵌合部７６は、後方部６１ｂ（第２支持部材６５が当接する部分）に対応して設けられている。第１及び第２嵌合部７５，７６の深さ（上下方向の幅）は、第１及び第２支持部材６４，６５の厚さと略一致する。
【００３５】
また、第１緩衝部材６１は、第１離間部７７と、第２離間部７８とを有する。
第１離間部７７は、切欠かれていることにより、第１据付脚部材２０ａの先端部下面２１ｓから離間するように形成されている（図１０参照）。すなわち、第１離間部７７を構成する面のうちで第１据付脚部材２０ａに向く面（以下、対向面７７ｓという。）は、第１当接部７１の当接面７１ｓを含む平面７１ｓｘよりも下方かつその平面７１ｓｘから離れた位置に配置されている（図１０参照）。
【００３６】
この第１離間部７７は、第１据付脚部材２０ａの前端取付部２１に対応して設けられている。なお、このような第１離間部７７は、前端取付部２１の一部に対応して設けられる場合もある。
【００３７】
第２離間部７８は、切欠かれていることにより、第１据付脚部材２０ａの先端部下面２７ｓから離間するように形成されている（図１０参照）。すなわち、第２離間部７８を構成する面のうちで第１据付脚部材２０ａに向く面（以下、対向面７８ｓという。）は、第１当接部７１の当接面７１ｓを含む平面７１ｓｘよりも下方かつその平面７１ｓｘから離れた位置に配置されている（図１０参照）。
【００３８】
この第２離間部７８は、第１据付脚部材２０ａの後端取付部２７の一部に対応して設けられている。なお、このような第２離間部７８は、後端取付部２７の全部に対応して設けられる場合もある。
【００３９】
図８を参照して、第２緩衝部材６２について説明する。
第２緩衝部材６２は、第２据付脚部材２０ｂに当接する第１当接部８１と、室外側ユニット本体１０の底フレーム１２に当接する第２当接部８２及び第５当接部８９と、室外側ユニット本体１０の前面１０ａに当接する第３当接部８３と、室外側ユニット本体１０の後面１０ｂに当接する第４当接部８４とを有する。
【００４０】
第１当接部８１には、貫通孔８１ｈが形成されている。第１当接部８１において貫通孔８１ｈの周壁を構成する部分８１ｗの上面（当接面８１ｓ）は、第２据付脚部材２０ｂの中間部２６の下縁部２９に当接する。
【００４１】
第２当接部８２には、底フレーム１２の形状に合うように、溝部８２ａ，段部８２ｂ，８２ｃ，８２ｄが形成されている。
第３及び第４当接部８３，８４は、室外側ユニット本体１０が前後にずれることを抑制するように形成されている。第５当接部８９には、底フレーム１２の形状に合うように、段部８９ａ及び溝部８９ｂ，８９ｃが形成されている。
【００４２】
また、第２緩衝部材６２の下面には、第１支持部材６４が嵌る第１嵌合部８５と、第２支持部材６５が嵌る第２嵌合部８６とが形成されている。
第１嵌合部８５は、前方部６２ａ（第１支持部材６４が当接する部分）に対応して設けられている。第２嵌合部８６は、後方部６２ｂ（第２支持部材６５が当接する部分）に対応して設けられている。第１及び第２嵌合部８５，８６の深さ（上下方向の幅）は、第１及び第２支持部材６４，６５の厚さと略一致する。
【００４３】
また、第２緩衝部材６２は、第１離間部８７と、第２離間部８８とを有する。
第１離間部８７及び第２離間部８８の構造は、第１緩衝部材６１の第１離間部７７及び第２離間部７８の構造と同様である。
【００４４】
図９及び図１０を参照して、第１据付脚部材２０ａと第１緩衝部材６１と第１支持部材６４との配置関係を説明する。
図９に、第１緩衝部材６１に第１据付脚部材２０ａが配置した状態の平面図を示す。図１０に、第１緩衝部材６１と第１据付脚部材２０ａと第１及び第２支持部材６４，６５との配置関係を示す。
【００４５】
図９及び図１０に示されるように、第１離間部７７は、第１据付脚部材２０ａの前端２１ａから所定距離（第１距離ｄ１）までの部分（先端部２１ｂ）に対する位置に配置される。すなわち、第１据付脚部材２０ａの先端部２１ｂは、第１緩衝部材６１に当接していない。
【００４６】
第２離間部７８は、第１据付脚部材２０ａの後端２７ａから所定距離（第２距離ｄ２）までの部分（先端部２７ｂ）に対する位置に配置される。すなわち、第１据付脚部材２０ａの先端部２７ｂは、第１緩衝部材６１に当接していない。
【００４７】
第１支持部材６４は、第１緩衝部材６１の前端６１ｃから所定距離（第３距離ｄ３）までの部分（前方部６１ａ）に当接する。この第３距離ｄ３は第１距離ｄ１よりも大きい。
第２支持部材６５は、第１緩衝部材６１の後端６１ｄから所定距離（第４距離ｄ４）までの部分（後方部６１ｂ）に当接する。この第４距離ｄ４は第２距離ｄ２よりも大きい。
【００４８】
次に、上記下部梱包部材６０の作用について比較構造の下部梱包部材と比較して説明する。
まず、図１１に、比較構造の下部梱包部材を構成する緩衝部材１６１と、第１据付脚部材２０ａとの配置関係を示す。
【００４９】
図１１に示すように、緩衝部材１６１において第１据付脚部材２０ａに当接する当接面１６１ａは平坦に形成されている。このため、第１据付脚部材２０ａの先端部下面２１ｓ，２７ｓは緩衝部材１６１に当接する。
【００５０】
図１２は、比較構造の下部梱包部材で保護された室外側ユニット１に、下方から衝撃が加わったときの緩衝部材１６１の状態を示す。
例えば、梱包材４０で梱包された室外側ユニット１（以下、梱包状態の室外側ユニット１という。）を人手で運び、所定の場所に降ろすとき、梱包状態の室外側ユニット１を傾けて降ろす場合がある。この場合、室外側ユニット１に加わる落下方向の力（重力）を抑制することなくこの室外側ユニット１を降ろすと、室外側ユニット１の前部または後部に大きい衝撃が加わる。この衝撃は第１支持部材６４または第２支持部材６５で受け止められて緩衝部材１６１に加わる。この衝撃は、緩衝部材１６１の圧縮及び変形により低減されるが、その衝撃が過大であるときは、この衝撃が、圧縮変形した緩衝部材１６１を介して第１据付脚部材２０ａの先端部２１ｂ，２７ｂに加わる。この結果、先端部２１ｂ，２７ｂが変形する。なお、このような事態は、第２据付脚部材２０ｂについても同様に生じる。
【００５１】
図１３を参照して、本実施形態に係る下部梱包部材６０で梱包された室外側ユニット１について、梱包状態の室外側ユニット１の後部に下方から衝撃が加わったときの第１緩衝部材６１の作用について説明する。
【００５２】
梱包状態の室外側ユニット１を傾けて地面に降ろす際、梱包状態の室外側ユニット１の後部に衝撃が加えられたとき、その衝撃は第２支持部材６５で受け止められる。第２支持部材６５はその衝撃により傾く。このとき、第２支持部材６５が傾くことにより、第１緩衝部材６１の後方部６１ｂが圧縮変形する。また、第１緩衝部材６１の第２離間部７８は、第２支持部材６５の傾きとともに上方に曲がる。しかし、第２離間部７８の上方には空間があるため、第２離間部７８が上方に曲がったとしても、第２離間部７８は第１据付脚部材２０ａの先端部２７ｂに接触しない。または、第２離間部７８が上方に曲がることによって第２離間部７８が第１据付脚部材２０ａの先端部２７ｂに接触したとしても、第２離間部７８を介して先端部２７ｂに加わる力の大きさは、同様の事態で比較構造の緩衝部材１６１を介して先端部２７ｂに加わる力の大きさに比べて小さくなる。このような作用により、梱包状態の室外側ユニット１の後部に衝撃が加わるとき、第１据付脚部材２０ａの先端部２７ｂの変形が抑制される。また、梱包状態の室外側ユニット１の前部に衝撃が加わるときも上記と同様の作用があるため、梱包状態の室外側ユニット１の前部に衝撃が加わるとき、第１据付脚部材２０ａの先端部２１ｂの変形が抑制される。なお、このような作用は、第２据付脚部材２０ｂについても同様に生じる。
【００５３】
本実施形態によれば以下に示す効果を奏する。
（１）第１緩衝部材６１は、第１据付脚部材２０ａの先端部下面２１ｓ，２７ｓ側に配置されて切欠かれていることにより第１据付脚部材２０ａに当接しない部位（離間部７７，７８）を有する。
【００５４】
室外側ユニット１の下方から衝撃が加えられたとき第１緩衝部材６１が圧縮変形する。これにより、この衝撃を小さくなる。しかし、比較構造では、その衝撃が大きいとき、圧縮変形した第１緩衝部材６１を介して衝撃が第１据付脚部材２０ａに加わる。特に、第１据付脚部材２０ａの先端部２１ｂ，２７ｂにはその衝撃を反対側から受ける部材が存在しないため、その衝撃が大きいとき、第１据付脚部材２０ａの先端部２１ｂ，２７ｂが変形するおそれがある。
【００５５】
上記構成では、第１緩衝部材６１において第１据付脚部材２０ａの先端部下面２１ｓ，２７ｓ側に対応して配置されているところに、第１据付脚部材２０ａの先端部２１ｂ，２７ｂに当接しない部位（離間部７７，７８）を設けている。
【００５６】
このため、次の作用を奏する。すなわち、室外側ユニット１の下方から衝撃が加えられることにより、第１緩衝部材６１において第１据付脚部材２０ａの先端部２１ｂ，２７ｂに対応する部分（離間部７７，７８）が上方に曲がることがある。このような場合でも、この部分（離間部７７，７８）が第１据付脚部材２０ａの先端部２１ｂ，２７ｂの下面に接触しないときは、第１据付脚部材２０ａの先端部２１ｂ、２７ｂに衝撃が加わらない。これによって、第１据付脚部材２０ａの先端部２１ｂ、２７ｂの変形が抑制される。
【００５７】
また、この部分（離間部７７，７８）が第１据付脚部材２０ａの先端部２１ｂ，２７ｂの下面に接触する場合でも、その部分（離間部７７，７８）が第１据付脚部材２０ａの先端部下面２１ｓ，２７ｓに接触までの間に衝撃が緩和されるため、第１据付脚部材２０ａの先端部２１ｂ，２７ｂに加わる衝撃が小さくなる。このため、第１据付脚部材２０ａの先端部２１ｂ，２７ｂの変形が抑制される。すなわち、室外側ユニット１の下方から衝撃が加えられたとき、第１据付脚部材２０ａの先端部２１ｂ，２７ｂの変形が抑制される。
【００５８】
なお、第１緩衝部材６１と第２緩衝部材６２とは同じ構造を有するため、第２緩衝部材６２は第１緩衝部材６１と同様の効果を奏する。すなわち、室外側ユニット１の下方から衝撃が加えられたとき、第２据付脚部材２０ｂの先端部２１ｂの変形が抑制される。
【００５９】
（変形例）
図１４〜図１６を参照して、第１緩衝部材６１について変形例を説明する。
以下に挙げる変形例は、上記実施形態の第１緩衝部材６１から第１離間部７７及び第２離間部７８の構造について変更したものである。なお、以下に挙げる変形例は、第２緩衝部材６２にも適用される。
【００６０】
第１離間部７７及び第２離間部７８に対応する部分以外の構成は、上記説明した下部梱包部材６０の構成と同様であるため、これら構成には、実施形態の第１緩衝部材６１に付した符号と同じ符号を付して説明する。
【００６１】
（第１変形例）
図１４に、第１緩衝部材６１について、第１の変形例を示す。
この変形例に係る第１緩衝部材２６１は、第１離間部２７７、第２離間部２７８及び第１当接部２７１を有する。
【００６２】
第１離間部２７７は、第１緩衝部材２６１に第１据付脚部材２０ａを配置したとき、第１据付脚部材２０ａの先端部下面２１ｓから離間するように構成されている。すなわち、第１離間部２７７の対向面２７７ｓは、第１当接部２７１の当接面２７１ｓを含む平面２７１ｓｘよりも下方かつその平面２７１ｓｘから離れた位置に配置されている。
【００６３】
また、第１離間部２７７の対向面２７７ｓは、前方に向かって第１据付脚部材２０ａの先端部下面２１ｓからの離間幅ｄｘが増大するように形成されている。すなわち、第１離間部２７７の基部２７７ｂ（第１当接部２７１側の部分）の厚さは、第１離間部２７７の端部２７７ａの厚さよりも大きい。なお、対向面２７７ｓは平坦に形成されている。第２離間部２７８は第１離間部２７７と同様の構造を有する。
【００６４】
このような構成によれば、次の作用を奏する。
本変形例の第１離間部２７７は、端部２７７ａと基部２７７ｂの厚さを等しくした比較構造の第１離間部２７７に比べて、曲げ強度が高くなる。このため、第１緩衝部材２６１の前方部６１ａに衝撃が加わることによって第１離間部２７７が変形するとき、第１当接部２７１と第１離間部２７７との間に歪が生じるが、この歪が、比較構造に比べて小さい。また、これと同様の作用が第２離間部２７８にも生じる。
【００６５】
従って、本変形例は次の効果を奏する。
本変形例に係る第１緩衝部材２６１によれば、第１離間部２７７または第２離間部２７８に衝撃が加えられるとき、第１当接部２７１と第１離間部２７７との間の境界部２７７ｘ、または第１当接部２７１と第２離間部２７８との間の境界部２７８ｘに亀裂が生じることを抑制することができる。
【００６６】
（第２変形例）
図１５に、第１緩衝部材６１について第２の変形例を示す。
この変形例に係る第１緩衝部材３６１の第１離間部３７７と第２離間部３７８は、上記第１変形例を更に変形したものである。
【００６７】
すなわち、第１変形例では、第１離間部２７７の対向面２７７ｓを平坦に形成しているが、第１離間部３７７の対向面３７７ｓを上方向に膨らむように形成している。第２離間部３７８についても第１離間部３７７と同様の形状に形成する。
【００６８】
このような構成によっても、上記第１の変形例と同様の作用を奏する。
従って、本変形例に係る第１緩衝部材３６１によれば、第１離間部３７７または第２離間部３７８に衝撃が加えられるとき、第１当接部３７１と第１離間部３７７との間の境界部３７７ｘまたは第１当接部３７１と第２離間部３７８との間の境界部３７８ｘに亀裂が生じることを抑制することができる。
【００６９】
（第３変形例）
図１６に、第１緩衝部材６１について第３の変形例を示す。
この変形例に係る第１緩衝部材４６１の第１離間部４７７及び第２離間部４７８は、次の構造を有する。
【００７０】
第１離間部４７７は、第１緩衝部材４６１に第１据付脚部材２０ａを配置したとき、先端部下面２１ｓから離間するように構成されている。
また、第１当接部４７１と第１離間部４７７との間の境界部４７７ｘには、この境界部４７７ｘを補強するための補強部４７７ｙが設けられている。補強部４７７ｙの上面４７７ｔは、第１据付脚部材２０ａの先端部下面２１ｓから離間する。第２離間部４７８は、第１離間部４７７と同様の構造を有する。
【００７１】
このような構成によれば、次の作用を奏する。
第１緩衝部材４６１において、第１当接部４７１と第１離間部４７７との境界部４７７ｘが補強部４７７ｙにより補強されている。このため、第１緩衝部材４６１の前方部６１ａに衝撃が加わることによって第１離間部２７７が変形するとき、第１当接部４７１と第１離間部４７７との間に歪が生じるが、このような補強部４７７ｙがないものに比べて、この歪が小さくなる。また、これと同様の作用が第２離間部４７８にも生じる。
【００７２】
従って、本変形例は次の効果を奏する。
本変形例に係る第１緩衝部材４６１によれば、第１離間部４７７または第２離間部４７８に衝撃が加えられるとき、第１当接部４７１と第１離間部４７７との間の境界部４７７ｘ、または第１当接部４７１と第２離間部４７８との間の境界部４７８ｘに亀裂が生じることを抑制することができる。
【００７３】
（その他の変形例）
なお、本技術の実施態様は上記にて例示した態様に限られるものではなく、これを例えば以下に示すように変更することもできる。
【００７４】
・上記実施形態では、第１当接部７１に貫通孔７１ｈを形成し、第１当接部８１に貫通孔８１ｈを形成しているが、これらの貫通孔７１ｈ，８１ｈを省略することもできる。この場合においても、上記（１）に記載の効果が同様に奏する。
【００７５】
・上記第３変形例では、第１離間部４７７に設けた補強部４７７ｙは段状に形成されているが、補強部４７７ｙの上面４７７ｔを傾斜させることもできる。この場合でも、効果は同じである。
【００７６】
（付記）
次に、上記実施形態及び変形例から把握される技術的思想について説明する。
なお、この技術は、緩衝部材において据付脚部材に当接しない部位（離間部７７，７８）と支持部材６４，６５との配置関係に関連する。
【００７７】
（付記１）
底フレームに複数の据付脚部材が取り付けられた室外側ユニットの下部を保護する下部梱包部材であって、前記室外側ユニットの前記底フレーム及び前記据付脚部材に当接する緩衝部材と、これら緩衝部材の前方部を支持する支持部材と、これら緩衝部材の後方部を支持する支持部材と、これら緩衝部材及び支持部材を保持する梱包ケースとを備え、前記緩衝部材は、前記底フレームに対応する部位と、前記据付脚部材に対応する部位を有し、前記据付脚部材に対応する部位において、前記据付脚部材に当接する部位と、前記前方部及び前記後方部の一部分に対応しかつ前記据付脚部材の先端部下面側に配置されて切欠かれていることにより前記据付脚部材に当接しない部位とを有する下部梱包部材。
【００７８】
本実施形態のように、据付脚部材２０ａ，２０ｂに対応して配置された第１及び第２緩衝部材６１，６２を、その前方部６１ａ，６２ａと後方部６１ｂ，６２ｂとにおいて第１及び第２支持部材６４，６５で支持する場合、室外側ユニット１に下方から衝撃に対して、次のような事情がある。すなわち、第１及び第２緩衝部材６１，６２を一枚板の支持部材で支持するものではなく、２本の支持部材で支持するものであるため、第１及び第２緩衝部材６１，６２の前方部６１ａ，６２ａまたは後方部６１ｂ，６２ｂにその衝撃が集中する。このため、緩衝部材６１，６２の前方部６１ａ，６２ａまたは後方部６１ｂ，６２ｂで圧縮変形が生じる。このようなことから、比較構造の下部梱包部材では、据付脚部材２０ａ，２０ｂの先端部２１ｂ，２７ｂが変形することがある。
【００７９】
この点、上記付記する技術では、第１緩衝部材６１は、底フレーム１２に対応する部位と、第１据付脚部材２０ａに対応する部位とを有する。更に、第１緩衝部材６１は、第１据付脚部材２０ａに対応する部位において、切欠かれていることにより第１据付脚部材２０ａに当接しない部位（離間部７７，７８）を有する。そして、この部位（離間部７７，７８）は、第１緩衝部材６１において第１据付脚部材２０ａの先端部下面２１ｓ，２７ｓ側に配置され、かつ第１及び第２支持部材６４，６５が当接する部分である前方部６１ａ及び後方部６１ｂの一部分に対応して設けられている。なお、第２緩衝部材６２は第１緩衝部材６１と同様の構造を有する。
【００８０】
この構成によれば、室外側ユニット１に下方から衝撃が加えられるとき、第１緩衝部材６１の前方部６１ａまたは後方部６１ｂに加わる衝撃が、底フレーム１２に対応する部位に加わる。このため、第１据付脚部材２０ａの先端部２１ｂ，２７ｂにはその衝撃が加わりにくい。これにより、第１据付脚部材２０ａの先端部２１ｂ，２７ｂの変形が抑制される。
【００８１】
（付記２）
上記付記１の構成において、前記据付脚部材に当接しない部位（離間部）は、前記据付脚部材に当接する部位（当接部）と当接しない部位（離間部）との間の境界部から前記据付脚部材の先端側に向かって、前記据付脚部材からの離間幅が大きくなるように、形成されている下部梱包部材。
【００８２】
すなわち、据付脚部材に当接しない部位（離間部）の基部（境界部側）の厚さを当該部位（離間部）の端部（先端側）の厚さよりも大きくする。これにより、据付脚部材に当接しない部位（離間部）の曲げ強度を高くすることができるため、当該部位（離間部）に衝撃が加えられることに起因して境界部に亀裂が生じることを抑制することができる。
【００８３】
（付記３）
上記付記１の構成において、前記据付脚部材に当接しない部位は、前記据付脚部材に当接する部位と当接しない部位との間の境界部に補強部が設けられている下部梱包部材。
【００８４】
この構成によれば、据付脚部材に当接しない部位（離間部）の境界部が補強されるため、当該部位（離間部）に衝撃が加えられることに起因して境界部に亀裂が生じることを抑制することができる。
【符号の説明】
【００８５】
１…室外側ユニット、１０…室外側ユニット本体、１０ａ…前面、１０ｂ…後面、１１…側面フレーム、１２…底フレーム、１３…圧縮機、１４…ファン、１５…室外側熱交換器、１６…回路基板、２０ａ…第１据付脚部材、２０ｂ…第２据付脚部材、２１…前端取付部、２１ａ…前端、２１ｂ…先端部、２１ｓ…先端部下面、２１ｋ…固定用貫通孔、２２…上段部、２３…上段部、２４…下段部、２５…下段部、２６…中間部、２７…後端取付部、２７ａ…後端、２７ｂ…先端部、２７ｓ…先端部下面、２７ｋ…固定用切込部、２８…係合部、２９…下縁部、４０…梱包材、５０…上部梱包部材、６０…下部梱包部材、６１…第１緩衝部材、６１ａ…前方部、６１ｂ…後方部、６１ｃ…前端、６１ｄ…後端、６２ａ…前方部、６２ｂ…後方部、６３ａ…前方部、６３ｂ…後方部、６２…第２緩衝部材、６３…第３緩衝部材、６４…第１支持部材、６５…第２支持部材、７１…第１当接部、７１ｈ…貫通孔、７１ｗ…部分、７１ｓ…当接面、７１ｓｘ…平面、７２…第２当接部、７２ａ…溝部、７２ｂ…溝部、７３…第３当接部、７４…第４当接部、７５…第１嵌合部、７６…第２嵌合部、７７…第１離間部、７７ｓ…対向面、７８…第２離間部、７８ｓ…対向面、８１…第１当接部、８１ｈ…貫通孔、８１ｗ…部分、８１ｓ…当接面、８２…第２当接部、８２ａ…溝部、８２ｂ…段部、８２ｃ…段部、８２ｄ…段部、８３…第３当接部、８４…第４当接部、８５…第１嵌合部、８６…第２嵌合部、８７…第１離間部、８８…第２離間部、８９…第５当接部、８９ａ…段部、８９ｂ…溝部、８９ｃ…溝部、９０…梱包ケース、９１…前面部、９２…後面部、９３…切込み、９４…切込み、９５…段部、９５ａ…鉛直部、９６…段部、９６ａ…鉛直部、１６１…緩衝部材、１６１ａ…当接面、２６１…第１緩衝部材、２７１…第１当接部、２７１ｓ…当接面、２７１ｓｘ…平面、２７７…第１離間部、２７７ａ…端部、２７７ｂ…基部、２７７ｘ…境界部、２７７ｓ…対向面、２７８…第２離間部、２７８ｘ…境界部、３６１…第１緩衝部材、３７１…第１当接部、３７７…第１離間部、３７７ｘ…境界部、３７７ｓ…対向面、３７８…第２離間部、３７８ｘ…境界部、４６１…第１緩衝部材、４７１…第１当接部、４７７…第１離間部、４７７ｘ…境界部、４７７ｙ…補強部、４７７ｔ…上面、４７８…第２離間部、４７８ｘ…境界部。
【図１】
2014240285.tif 000003
【図２】
2014240285.tif 000004
【図３】
2014240285.tif 000005
【図４】
2014240285.tif 000006
【図５】
2014240285.tif 000007
【図６】
2014240285.tif 000008
【図７】
2014240285.tif 000009
【図８】
2014240285.tif 000010
【図９】
2014240285.tif 000011
【図１０】
2014240285.tif 000012
【図１１】
2014240285.tif 000013
【図１２】
2014240285.tif 000014
【図１３】
2014240285.tif 000015
【図１４】
2014240285.tif 000016
【図１５】
2014240285.tif 000017
【図１６】
2014240285.tif 000018